(57)【要約】【課題】マトリクスディスプレイにおいて左右反転表示を行った際の色ずれを防止する。【解決手段】点灯状態のセルであり、かつ、通常の表示状態では左右いずれかに隣接するセルが点灯状態であり、かつ、左右反転した表示状態では左右に隣接するセルがいずれも非点灯状態であるセルを検出し、左右反転表示時に被検出セルを非点灯状態とする。または、非点灯状態のセルであり、かつ、通常の表示状態では左右いずれかに隣接するセルが非点灯状態であり、かつ、左右反転した表示状態では左右に隣接するセルがいずれも点灯状態であるセルを検出し、左右反転表示時に被検出セルを点灯状態とすることを特徴とする。【選択図】図１
2006322974.tif 000002
【特許請求の範囲】
【請求項１】
複数のセルにより構成されるマトリクスディスプレイ上で左右反転表示を行う画像表示方法であって、
点灯状態のセルであり、かつ、
通常の表示状態では左右いずれかに隣接するセルが点灯状態であり、かつ、
左右反転した表示状態では左右に隣接するセルがいずれも非点灯状態であるセルを検出し、
左右反転表示時に被検出セルを非点灯状態とすることを特徴とする画像表示方法。
【請求項２】
複数のセルにより構成されるマトリクスディスプレイ上で左右反転表示を行う画像表示方法であって、
非点灯状態のセルであり、かつ、
通常の表示状態では左右いずれかに隣接するセルが非点灯状態であり、かつ、
左右反転した表示状態では左右に隣接するセルがいずれも点灯状態であるセルを検出し、
左右反転表示時に被検出セルを点灯状態とすることを特徴とする画像表示方法。
【請求項３】
請求項１または請求項２に記載の画像表示方法であって、２つの被検出セルが通常の表示状態において隣接している場合は、当該２つのセルを被検出セルから除外することを特徴とする画像表示方法。
【請求項４】
請求項１または請求項２に記載の画像表示方法であって、前記点灯状態とはセルが所定の閾値以上の輝度で発光するセルであり、前記非点灯状態とはセルが前記閾値未満の輝度で発光するセルであることを特徴とする画像表示方法。
【請求項５】
請求項１から請求項４のいずれかに記載の画像表示方法であって、左右反転表示とはマトリクスディスプレイの短辺を縦軸として表示画像の左右を反転して表示することであることを特徴とする画像表示方法。
【請求項６】
色の３原色にそれぞれ対応させたセルで構成される画素を複数配置したマトリクスディスプレイ上に左右反転した画像を表示する機能を有した画像表示装置であって、
画像信号を記憶する画像メモリに画像信号を書き込むとともに、前記画像メモリに書き込んだ画像信号を、水平走査線期間単位で画素データを逆順に読み出すことで、前記逆順の画素データで構成される反転画像信号を生成する反転処理部と、
前記画素データにおいて、その画素に含まれる任意のセルを対象セルとしたとき、所定の判定条件に従って、前記対象セルがそのセルの明るさに関して孤立したセルであることを判定し、前記対象セルが孤立したセルであると判定すると、前記画素データに含まれる前記対象セルに対応した色データを所定のデータ値に変換するセル処理部と、
色の３原色にそれぞれ対応させたセルで構成される画素を複数配置し、前記セル処理部から順次供給される画素データに従ってそれぞれのセルを発光させることで画像を表示するマトリクスディスプレイを含む表示部とを備えたことを特徴とする画像表示装置。
【請求項７】
前記セル処理部は、
前記反転処理部からの画素データにおいて、
前記対象セルに対応した色データが所定の閾値以上であり、かつ、通常の表示状態では、前記マトリクスディスプレイ上で前記対象セルの左右いずれかに隣接するセルに対応したデータが所定の閾値以上であり、かつ、左右反転した表示状態では、前記マトリクスディスプレイ上で前記対象セルの左右に隣接するセルに対応したデータがいずれも所定の閾値未満であることを前記所定の判定条件として判定し、前記所定の判定条件を満たしたとき、前記画素データに含まれる前記対象セルに対応した色データを所定のデータ値に変換することを特徴とする請求項６記載の画像表示装置。
【請求項８】
前記セル処理部は、
前記反転処理部からの画素データにおいて、
前記対象セルに対応した色データが所定の閾値未満であり、かつ、通常の表示状態では、前記マトリクスディスプレイ上で前記対象セルの左右いずれかに隣接するセルに対応したデータが所定の閾値未満であり、かつ、左右反転した表示状態では、前記マトリクスディスプレイ上で前記対象セルの左右に隣接するセルに対応したデータがいずれも所定の閾値以上であることを前記所定の判定条件として判定し、前記所定の判定条件を満たしたとき、前記画素データに含まれる前記対象セルに対応した色データを所定のデータ値に変換することを特徴とする請求項６記載の画像表示装置。
【発明の詳細な説明】
【技術分野】
【０００１】
本発明はマトリクスディスプレイの画像表示方法に係り、特に、左右反転表示という特殊な画像表示を行うための画像表示方法、および画像表示装置に関する。
【背景技術】
【０００２】
近年ＣＲＴに代わる表示装置として、置き場所を取らない、プラズマディスプレイパネル（ＰＤＰ）や液晶ディスプレイ（ＬＣＤ）を用いた大画面かつ薄型の表示装置が盛んに利用されている。これら薄型の表示装置はすべてマトリクスディスプレイであり、膨大な画素の集合体として画像を表示している。一部の表示装置を除いて個々の画素は隣接する赤（Ｒ）、緑（Ｇ）、青（Ｂ）の３色のセルから構成される（セルの順序は任意である）。
【０００３】
このような表示装置は大画面かつ薄型という特徴を生かし、テレビジョン放送受信機やコンピュータのモニタとしてだけではなく、列車や航空機の運行表示板や店舗の看板など、さまざまなアプリケーションに用いることができる。これらのアプリケーションでは、設置場所などの都合により表示装置を上下逆に設置せざるを得ない場合があり、このような状況に対応するためには入力された画像を上下および左右を反転して表示する機能が求められる。また、左右反転表示機能は鏡像を通常表示画像として見ることができるため、理髪店などにおける顧客サービスとしても利用価値が高い。このため、従来、例えば、特許文献１のような左右反転表示機能を備えた表示装置に関する技術が提案されている。
【特許文献１】特開昭６２−２４５４３１号公報
【発明の開示】
【発明が解決しようとする課題】
【０００４】
しかしながら、画素内のセルの配置は表示装置において固定されているため、信号処理だけではセル単位まで左右反転させることはできず、画素単位までの左右反転であるので、左右反転した表示状態では通常の表示状態と比べて色がずれたように観測されることがある。
【０００５】
例えば、図１３において太線で囲まれた四角形は画素を示し、Ｒ、Ｇ、Ｂと記載された縦長の長方形は、色の３原色のそれぞれ赤色、緑色、青色を発光させるためのセルを示す。斜線で塗りつぶされたセルが発光しているセルである。各画素には左端からｎ−１、ｎ、ｎ＋１、ｎ＋２の番号が振られている。図１３（ａ）で画素ｎ＋１、画素ｎ＋２はＲＧＢともに点灯状態であり、画素ｎはＢのみが点灯状態である。なお、画素ｎ＋１、画素ｎ＋２のようにＲＧＢともに点灯状態となることで、通常、これらの画素は白で発光していると認知される。また、図１３（ａ）を左右反転させたのが図１３（ｂ）である。このように画素の配置は左右反転しているが、セルの配置は左右反転させることができない。
【０００６】
さらに、図１３（ａ）の表示状態の場合、白で発光する画素ｎ＋１の左に青で発光する画素ｎがあるが、視覚的には白い画素の隣に青い画素があるというようには観測されない。なぜならば画素ｎのＢの発光は画素ｎ＋１のＲ、Ｇの発光と混じり合うため画素ｎのＢも含めて白で発光する画素があるように観測される。これに対して図１３（ｂ）では画素ｎ＋１のＢと画素ｎのＢとの間に非点灯状態の２つのセルが存在するため、画素ｎのＢの発光と画素ｎ＋１のＲ、Ｇの発光とは混じり合わず、白で発光する画素ｎ＋１の右に青で発光する画素ｎがある、というように観測される。
【０００７】
同様に図１４（ａ）で画素ｎ−１、画素ｎはＲＧＢともに点灯状態であり、画素ｎ＋１はＲのみが点灯状態である。これを左右反転させたのが図１４（ｂ）である。
【０００８】
図１４（ａ）の表示状態でも、白で発光する画素ｎの右に赤で発光する画素ｎ＋１がある、というようには観測されない。なぜならば画素ｎ＋１のＲの発光は画素ｎのＧ、Ｂの発光と混じり合うため画素ｎ＋１のＲも含めて白で発光する画素があるように観測される。これに対して図１４（ｂ）では画素ｎ＋１のＲと画素ｎのＲとの間に非点灯状態の２つのセルが存在するため、画素ｎ＋１のＲの発光と画素ｎのＧ、Ｂの発光とは混じり合わず、白で発光する画素ｎの左に赤で発光する画素ｎ＋１がある、というように観測される。
【０００９】
このように、画素の配置は左右反転することができるがセルの配置は左右反転させることができないという事情により、従来の左右反転表示機能を備えた表示装置では、表示時と左右反転表示時では色がずれたように観測されることがあるという課題があった。
【００１０】
本発明は、このような課題を解決するためになされたもので、隣接した３つのセルからなる画素で構成されたマトリクスディスプレイにおいて左右反転表示を行った際にも、色がずれたように観測されることを防止し、画質の劣化を抑制した画像表示方法、および画像表示装置を提供することを目的とする。
【課題を解決するための手段】
【００１１】
上述したような従来の課題を解決するために、本発明の画像表示方法は、点灯状態にあるセルであり、かつ、通常の表示状態では左右いずれかに隣接するセルが点灯状態であり、かつ、左右反転した表示状態では左右に隣接するセルがいずれも非点灯状態であるセルを検出し、左右反転表示時に被検出セルを非点灯状態とする。また、本発明の画像表示方法は、非点灯状態にあるセルであり、かつ、通常の表示状態では左右いずれかに隣接するセルが非点灯状態であり、かつ、左右反転した表示状態では左右に隣接するセルがいずれも点灯状態であるセルを検出し、左右反転表示時に被検出セルを点灯状態とする。
【００１２】
また、本発明の画像表示装置は、色の３原色にそれぞれ対応させたセルで構成される画素を複数配置したマトリクスディスプレイ上に左右反転した画像を表示する機能を有した画像表示装置であって、画像信号を記憶する画像メモリに画像信号を書き込むとともに、画像メモリに書き込んだ画像信号を、水平走査線期間単位で画素データを逆順に読み出すことで、逆順の画素データで構成される反転画像信号を生成する反転処理部と、画素データにおいて、その画素に含まれる任意のセルを対象セルとしたとき、所定の判定条件に従って、対象セルがそのセルの明るさに関して孤立したセルであることを判定し、対象セルが孤立したセルであると判定すると、画素データに含まれる対象セルに対応した色データ所定のデータ値に変換するセル処理部と、色の３原色にそれぞれ対応させたセルで構成される画素を複数配置し、セル処理部から順次供給される画素データに従ってそれぞれのセルを発光させることで画像を表示するマトリクスディスプレイを含む表示部とを備えた構成である。
【００１３】
このように、本発明の画像表示方法、あるいは画像表示装置によれば、例えば、図１３（ｂ）における画素ｎのＢのセルのように左右反転した際に孤立してしまう画素を非点灯とするので、左右反転時に色がずれたように観測されることがない。
【発明の効果】
【００１４】
本発明の画像表示方法によれば、水平方向に隣接した３つのセルからなる画素で構成されたマトリクスディスプレイにおいて左右反転表示を行った際にも、色がずれたように観測されることはない。
【発明を実施するための最良の形態】
【００１５】
以下本発明の実施の形態について、図面を参照しながら説明する。
【００１６】
（実施の形態）
図１は本発明の実施の形態における画像表示方法を用いた画像表示装置の構成を示すブロック図である。
【００１７】
図１で示すように、本実施の形態の画像表示装置は、画像を表示するためのＲＧＢ信号が供給されるＲＧＢ入力端子１００、画像の左右反転処理を行うための反転処理部１０１、左右反転時に観測される色ずれを補正するためのセル処理部１０３、および３原色の各セルで構成される画素の集合体であるマトリクスディスプレイを含む表示部１０４を備えた構成である。
【００１８】
図１において、ＲＧＢ入力端子１００には、画像を表示するための画像信号として、ＲＧＢ信号が供給される。ＲＧＢ信号は、赤色の明るさを示すＲ信号、緑色の明るさを示すＧ信号、および青色の明るさを示すＢ信号で構成される。ＲＧＢ入力端子１００に供給されたＲＧＢ信号は、反転処理部１０１に供給される。
【００１９】
反転処理部１０１は、画像の左右反転表示を行うため、供給されたＲＧＢ信号に対して、各水平走査線期間（以下、適宜、水平期間と呼ぶ）ごとに、時間的に逆行するＲＧＢ信号である反転ＲＧＢ信号を生成する。このような、反転ＲＧＢ信号を生成するため、反転処理部１０１は、ＲＧＢ信号を１水平期間、すなわちライン単位で記録する画像メモリであるラインメモリ１１１、およびラインメモリ１１１を制御するアドレス制御部１１２を有している。
【００２０】
図２は、アドレス制御部１１２がラインメモリ１１１を制御するタイミングを示す図である。
【００２１】
アドレス制御部１１２は、例えば、ＲＧＢ信号に含めて供給される水平同期信号に基づき、１水平期間ごとに図２（ａ）と図２（ｂ）とに示す各アドレスを交互にラインメモリ１１１に入力する。図２（ａ）のアドレスを入力している際には、ラインメモリ１１１はリードアドレスで示すアドレス０のメモリ領域から順に読み出され、読み出しが完了したメモリ領域に順次、ＲＧＢ信号の各データをライトアドレスで示すアドレスに書き込んでいく。次の水平期間では、図２（ｂ）のアドレスが入力され、前水平期間で最後に書き込んだメモリ領域から順にリードアドレスで示すアドレスの読み出しを行う。この操作を繰り返すことにより、常に最後に書き込んだデータから逆順に読み出していくので、ラインメモリ１１１からは、各水平期間において、左右が反転した画像に対応する反転ＲＧＢ信号が出力され、このような反転ＲＧＢ信号で表示部１０４を駆動することで、左右反転表示を実現することができる。このようにして、反転処理部１０１は、画像信号を記憶するラインメモリ１１１に画像信号としてのＲＧＢ信号を書き込むとともに、ラインメモリ１１１に書き込んだＲＧＢ信号を、水平走査線期間単位で画素データを逆順に読み出すことで、逆順の画素データで構成される反転画像信号としての反転ＲＧＢ信号を生成する。
【００２２】
セル処理部１０３には、反転ＲＧＢ信号におけるＲ、Ｇ、およびＢの色信号であるＲ信号Ｒａ、Ｇ信号Ｇａ、およびＢ信号Ｂａが供給される。セル処理部１０３は、例えば、図１３で説明したような左右反転時に観測される色ずれを補正するための処理を行う。セル処理部１０３は、このような色ずれを補正するため、左右反転時に観測される色ずれの原因となるセルに対応した色データを検出し、検出した色データによるセルが非点灯状態となるように制御するような処理を実行する。また、セル処理部１０３には、色ずれの原因となるセルに対応した色データを検出するため、反転ＲＧＢ信号におけるＲ信号Ｒａ、Ｇ信号Ｇａ、およびＢ信号Ｂａに対する閾値Ｔｈが供給される。セル処理部１０３は、この閾値Ｔｈに基づき、反転ＲＧＢ信号におけるＲ信号Ｒａ、Ｇ信号Ｇａ、およびＢ信号Ｂａが、それぞれのセルを点灯させるレベルであるかどうかを判定する。なお、以下、点灯状態とは指定されたセルが入力される閾値Ｔｈ以上の階調を持つ信号で駆動されるということを意味し、非点灯状態とは閾値Ｔｈ未満の階調を持つ信号で駆動されるということを意味するものとして説明する。
【００２３】
図３は、セル処理部１０３が、左右反転時に観測される色ずれの原因となるセルを検出するための判定条件、およびこの判定条件に基づいて実行する処理を示す図である。セル処理部１０３は、図３に示す判定条件に基づいて、図３の処理に示す動作を行う。図３において、判定条件１の記号は図１３、判定条件２の記号は図１４の各画素、および各セルに対応する。すなわち、例えば、図１３（ｂ）のように白で発光する画素ｎ＋１の右に青で発光する画素ｎがある、というような表示状態を補正するため、セル処理部１０３は、まず判定条件１に基づいて、このような表示状態に対応したデータ構成を検出し、このようなデータ構成を検出すると、青で発光する画素ｎのセルＢが非点灯状態となるようなデータに変換するように制御している。なお、図３に示す判定条件は、例えば、図１３に示す画素ｎのセルＢのように、点灯状態のセルであり、かつ、図１３（ａ）のように通常の表示状態では左右いずれかに隣接するセルが点灯状態であり、かつ、図１３（ｂ）のように左右反転した表示状態では左右に隣接するセルがいずれも非点灯状態である画素ｎのセルＢのようなセルを検出する条件から導出した条件である。
【００２４】
セル処理部１０３は、以上のようにして色ずれを補正した反転ＲＧＢ信号である補正ＲＧＢ信号を表示部１０４に供給する。このように、セル処理部１０３は、反転ＲＧＢ信号の各画素データにおいて、その画素に含まれる任意のセルを対象セルとしたとき、図３に示すような所定の判定条件に従って、対象セルがそのセルの明るさに関して孤立したセルであることを判定し、対象セルが孤立したセルであると判定すると、画素データに含まれる対象セルに対応した色データを所定のデータ値に変換する。
【００２５】
表示部１０４は、色の３原色にそれぞれ対応させたセルで構成される画素を複数配置したマトリクスディスプレイを有している。表示部１０４では、供給された補正ＲＧＢ信号におけるＲ信号Ｒｂ、Ｇ信号Ｇｂ、およびＢ信号Ｂｂにより、マトリクスディスプレイの各画素におけるセルＲ、セルＧ、およびセルＢが駆動され、反転画像が表示される。特に、例えば、図１３（ｂ）のように白で発光する画素ｎ＋１の右に青で発光する画素ｎがあるような反転ＲＧＢ信号に対して、色ずれの原因となるような画素ｎのセルＢを非点灯状態としているため、色ずれを防止した反転画像を表示することができる。
【００２６】
以上のように構成された本実施の形態における本発明の画像表示方法を用いた画像表示装置について、以下、詳細な構成およびその動作について説明する。
【００２７】
図４は、図１に示したセル処理部１０３の詳細な構成例を示すブロック図である。セル処理部１０３は、図４に示すような構成により、図３で示した判定条件、およびこの判定条件に基づいて実行する処理を実現している。また、図５は、図４における孤立Ｂセル判定部３３の詳細な構成例を示すブロック図であり、図６は、図４における孤立Ｒセル判定部３４の詳細な構成例を示すブロック図である。
【００２８】
図４において、比較器１３１、比較器１３２、および比較器１３３は、セル処理部１０３に供給された反転ＲＧＢ信号におけるＲ信号Ｒａ、Ｇ信号Ｇａ、およびＢ信号Ｂａがそれぞれ所定の閾値ＴｈＲ、閾値ＴｈＧ、閾値ＴｈＢ以上の階調レベルであるかどうかを判定する。すなわち、セル処理部１０３は、比較器１３１、比較器１３２、および比較器１３３により、Ｒ信号Ｒａ、Ｇ信号Ｇａ、およびＢ信号Ｂａの各データに対して、それぞれデータがセルを点灯させるレベルであるかどうかを判定し、判定結果を点灯状態、あるいは非点灯状態として出力する。なお、以下、例えば、Ｒ信号Ｒａのデータが閾値ＴｈＲ以上の階調レベルであるとき、比較器１３１から点灯状態を示す論理値１が出力され、閾値ＴｈＲ未満の階調レベルであるとき、比較器１３１から非点灯状態を示す論理値０が出力されるとし、Ｇ信号Ｇａ、およびＢ信号Ｂａについても比較器１３２、および比較器１３３から同様の論理値が出力されるとして説明する。比較器１３１、比較器１３２、および比較器１３３からは、このようなセルの点灯状態を示すセルデータＲｃ、セルデータＧｃ、セルデータＢｃが、孤立Ｂセル判定部３３、および孤立Ｒセル判定部３４へと出力される。
【００２９】
孤立Ｂセル判定部３３は、図３で示した判定条件１の判定を行い、孤立Ｒセル判定部３４は、図３で示した判定条件２の判定を行う。すなわち、孤立Ｂセル判定部３３、および孤立Ｒセル判定部３４は、順次供給されるセルデータＲｃ、セルデータＧｃ、セルデータＢｃに基づき、注目画素、およびその近隣画素の所定のセルにおける点灯状態を判定する。孤立Ｂセル判定部３３は、判定結果Ｂｓをセレクタ１３７に通知する。また、孤立Ｒセル判定部３４は、判定結果Ｒｓをセレクタ１３８に通知する。
【００３０】
遅延器１３４、遅延器１３５、および遅延器１３６は、孤立Ｂセル判定部３３、および孤立Ｒセル判定部３４の処理時間に対応させて、反転ＲＧＢ信号におけるＲ信号Ｒａ、Ｇ信号Ｇａ、およびＢ信号Ｂａを遅延させ、各タイミングをあわせるために設けた遅延器である。遅延器１３４、遅延器１３５、および遅延器１３６からは、遅延したＲ信号Ｒａ、Ｇ信号Ｇａ、およびＢ信号Ｂａが出力される。
【００３１】
セレクタ１３７は、孤立Ｂセル判定部３３から通知された判定結果Ｂｓに応じて、遅延器１３４からのＢ信号Ｂａ、あるいは非点灯状態を示すデータであるゼロ値のいずれかを選択し、出力する。また、セレクタ１３８は、孤立Ｒセル判定部３４から通知された判定結果Ｒｓに応じて、遅延器１３６からのＲ信号Ｒａ、あるいは非点灯状態を示すデータであるゼロ値のいずれかを選択し、出力する。
【００３２】
セル処理部１０３は、以上のように構成され、孤立Ｂセル判定部３３は、図３で示した判定条件１の判定を行うため、例えば、図１３で、画素ｎのセルＢが点灯状態かつセルＧが非点灯状態、かつ画素ｎ＋１のセルＧが点灯状態かつセルＲが点灯状態、かつ画素ｎ−１のセルＲが非点灯状態であるような反転ＲＧＢ信号のデータ構成を判定し、その判定結果Ｂｓをセレクタ１３７に通知する。また、このような孤立Ｂセル判定部３３における判定条件１の判定は、例えば、図５で示すような構成により実現できる。
【００３３】
図５において、孤立Ｂセル判定部３３に供給されたセルデータＲｃは、縦続接続されたフリップフロップ３０１、３０２、およびフリップフロップ３０３へと順次供給される。フリップフロップ３０１、３０２、およびフリップフロップ３０３は、データを一時記憶する記憶素子であり、各フリップフロップの出力が隣接する画素に対応している。すなわち、例えば、図１３における画素ｎを注目画素としてフリップフロップ３０２の出力に対応するとした場合、フリップフロップ３０１の出力は画素ｎ＋１に対応し、フリップフロップ３０３の出力は画素ｎー１に対応する。同様に、セルデータＧｃは、縦続接続されたフリップフロップ３０４、およびフリップフロップ３０５へと順次供給され、フリップフロップ３０４の出力は画素ｎ＋１に対応し、フリップフロップ３０５の出力は画素ｎに対応する。また、セルデータＢｃは、縦続接続されたフリップフロップ３０６、およびフリップフロップ３０７へと順次供給され、フリップフロップ３０６の出力は画素ｎ＋１に対応し、フリップフロップ３０７の出力は画素ｎに対応する。よって、これら各フリップフロップからの出力データを利用して判定条件１の判定を行うことができる。
【００３４】
すなわち、孤立Ｂセル判定部３３は、まず、判定条件１としての画素ｎのセルＢが点灯状態であることを判定するため、フリップフロップ３０７からの出力データを利用している。同様に、孤立Ｂセル判定部３３は、画素ｎのセルＧが非点灯状態であることを判定するため、フリップフロップ３０５からの出力データをインバータ３１３により論理反転させたデータを利用し、画素ｎ＋１のセルＧが点灯状態であることを判定するため、フリップフロップ３０４からの出力データを利用し、画素ｎ＋１のセルＲが点灯状態であることを判定するため、フリップフロップ３０１からの出力データを利用し、さらに画素ｎ−１のセルＲが非点灯状態であることを判定するため、フリップフロップ３０３からの出力データをインバータ３１１により論理反転させたデータを利用している。さらに、孤立Ｂセル判定部３３は、これら出力データを、論理積演算を行うＡＮＤ回路３３０に供給することにより、画素ｎのセルＢが点灯状態かつセルＧが非点灯状態、かつ画素ｎ＋１のセルＧが点灯状態かつセルＲが点灯状態、かつ画素ｎ−１のセルＲが非点灯状態であることを判定している。孤立Ｂセル判定部３３は、このような処理を各画素ごとにシフトしながら、順次注目画素における判定条件１の判定を行う。孤立Ｂセル判定部３３は、このようにして、図１３（ｂ）の画素ｎに示すような、白で発光する画素ｎ＋１の右に隣接する青のみで発光する画素ｎを検出している。
【００３５】
セレクタ１３７は、判定条件１を満たすとする判定結果Ｂｓが通知されると、遅延器１３４からのＢ信号Ｂａを選択し、一方、判定条件１を満たさないとする判定結果Ｂｓが通知されると、ゼロ値を選択し、出力する。すなわち、セレクタ１３７がこのような処理を行うことで、図３に示した処理１が実行される。
【００３６】
このように、セル処理部１０３は、図１３で示す画素ｎのセルＢが点灯状態かつセルＧが非点灯状態、かつ画素ｎ＋１のセルＧが点灯状態かつセルＲが点灯状態、かつ画素ｎ−１のセルＲが非点灯状態となる反転ＲＧＢ信号のデータ構成であれば、画素ｎのセルＢを非点灯とするようなデータ、すなわちゼロ値に変換する処理を行っている。言い換えれば、対象セルに対応した色データが所定の閾値以上であり、かつ、通常の表示状態では、マトリクスディスプレイ上で対象セルの左右いずれかに隣接するセルに対応したデータが所定の閾値以上であり、かつ、左右反転した表示状態では、マトリクスディスプレイ上で対象セルの左右に隣接するセルに対応したデータがいずれも所定の閾値未満であることを所定の判定条件として判定し、所定の判定条件を満たしたとき、画素データに含まれる対象セルに対応した色データを所定のゼロ値に変換し、対象セルである画素ｎのセルＢを非点灯としている。
【００３７】
これにより、図１３（ｂ）の画素ｎのように左右反転時のみ隣接画素から孤立して点灯するようなセルがなくなるので左右反転時の色ずれが観測されなくなる。
【００３８】
また、孤立Ｒセル判定部３４は、図３で示した判定条件２の判定を行うため、例えば、図１４で、画素ｎ＋１のセルＲが点灯状態かつセルＧが非点灯状態、かつ画素ｎのセルＧが点灯状態かつセルＢが点灯状態、かつ画素ｎ＋２のセルＢが非点灯状態であるような反転ＲＧＢ信号のデータ構成を判定し、その判定結果Ｒｓをセレクタ１３８に通知する。また、このような孤立Ｒセル判定部３４における判定条件２の判定は、例えば、図６で示すような構成により実現できる。
【００３９】
図６において、孤立Ｒセル判定部３４に供給されたセルデータＲｃは、フリップフロップ３０１へと供給される。フリップフロップ３０１の出力は、図１４に示す画素ｎ＋１に対応している。同様に、セルデータＧｃは、縦続接続されたフリップフロップ３０４、およびフリップフロップ３０５へと順次供給され、フリップフロップ３０４の出力は画素ｎ＋１に対応し、フリップフロップ３０５の出力は画素ｎに対応する。また、セルデータＢｃは、縦続接続されたフリップフロップ３０６、およびフリップフロップ３０７へと順次供給され、フリップフロップ３０６の入力は画素ｎ＋２に対応し、フリップフロップ３０６の出力は画素ｎ＋１に対応し、フリップフロップ３０７の出力は画素ｎに対応する。よって、図５で示した孤立Ｂセル判定部３３と同様に、これら各フリップフロップからの出力データ、およびフリップフロップへの入力データを利用して判定条件２の判定を行うことができる。なお、各フリップフロップは孤立Ｂセル判定部３３と孤立Ｒセル判定部３４とで共用してもよく、またそれぞれ個別に設けてもよい。図６では、孤立Ｒセル判定部３４が、孤立Ｂセル判定部３３のフリップフロップを利用した場合を示しており、それぞれ対応するフリップフロップには同一の符号を付している。
【００４０】
孤立Ｒセル判定部３４は、まず、判定条件２としての画素ｎ＋１のセルＲが点灯状態であることを判定するため、フリップフロップ３０１からの出力データを利用している。同様に、孤立Ｂセル判定部３３は、画素ｎ＋１のセルＧが非点灯状態であることを判定するため、フリップフロップ３０４からの出力データをインバータ３１４により論理反転させたデータを利用し、画素ｎのセルＧが点灯状態であることを判定するため、フリップフロップ３０５からの出力データを利用し、画素ｎのセルＢが点灯状態であることを判定するため、フリップフロップ３０７からの出力データを利用し、さらに画素ｎ＋２のセルＢが非点灯状態であることを判定するため、フリップフロップ３０６への入力データをインバータ３１６により論理反転させたデータを利用している。さらに、孤立Ｒセル判定部３４は、これらデータを、論理積演算を行うＡＮＤ回路３４０に供給することにより、画素ｎ＋１のセルＲが点灯状態かつセルＧが点灯状態、かつ画素ｎのセルＧが非点灯状態かつセルＢが点灯状態、かつ画素ｎ＋２のセルＢが非点灯状態であることを判定している。孤立Ｒセル判定部３４は、このような処理を各画素ごとにシフトしながら、順次注目画素における判定条件２の判定を行う。孤立Ｒセル判定部３４は、このようにして、図１４（ｂ）の画素ｎ＋１に示すような、白で発光する画素ｎの左に隣接する赤のみで発光する画素ｎ＋１を検出している。
【００４１】
セレクタ１３８は、判定条件２を満たすとする判定結果Ｒｓが通知されると、遅延器１３６からのＲ信号Ｒａを選択し、一方、判定条件２を満たさないとする判定結果Ｒｓが通知されると、ゼロ値を選択し、出力する。すなわち、セレクタ１３８がこのような処理を行うことで、図３に示した処理２が実行される。このように、セル処理部１０３において、図１４で示す画素ｎ＋１のＲが点灯状態かつＧが非点灯状態、かつ画素ｎのＧが点灯状態かつＢが点灯状態、かつ画素ｎ＋２のＢが非点灯状態であれば、画素ｎ＋１のＲを非点灯とするようなデータ、すなわちゼロ値に変換する処理を行っている。これにより、図１４（ｂ）の画素ｎ＋１ように左右反転時のみ隣接画素から孤立して点灯するようなセルがなくなるので左右反転時の色ずれが観測されなくなる。
【００４２】
なお、以上、図１３、図１４での斜線をつけたセルが点灯状態であるとして説明したが、斜線を付けたセルが非点灯状態であっても同様に左右反転時に色がずれたように観測される。したがって、図３の判定条件１および判定条件２、および処理１および処理２の点灯状態と非点灯状態を入れ替えても、左右反転表示を行う際に色がずれたように観測されることがなくなるので画質の劣化を抑制することができる。
【００４３】
図７は、このような図３とは逆の条件や処理をも盛り込んだセル処理部１０３の他の構成例を示すブロック図である。セル処理部１０３は、図７に示すような構成により、図３で示した判定条件、および処理に加えて、上述した図３とは逆の条件や処理をも盛り込んだ構成により色ずれの補正を実現している。また、図８は、図７における孤立Ｂセル判定部３５の詳細な構成例を示すブロック図であり、図９は、図７における孤立Ｒセル判定部３６の詳細な構成例を示すブロック図である。なお、図７、図８、および図９において、図４、図５、および図６と同一の機能を有する構成要素については同一の符号を付している。
【００４４】
図７において、比較器１３１、比較器１３２、および比較器１３３からは、セルの点灯状態を示すセルデータＲｃ、セルデータＧｃ、セルデータＢｃが、孤立Ｂセル判定部３５、および孤立Ｒセル判定部３６へと出力される。
【００４５】
孤立Ｂセル判定部３５は、図３で示した判定条件１の判定を行うとともに、図３で示した判定条件１とは逆の条件の判定を行う。すなわち、図８の構成例に示すように、孤立Ｂセル判定部３５は、図５での構成と同様にＡＮＤ回路３３０により、判定条件１である、画素ｎのセルＢが点灯状態かつセルＧが非点灯状態、かつ画素ｎ＋１のセルＧが点灯状態かつセルＲが点灯状態、かつ画素ｎ−１のセルＲが非点灯状態であることを判定している。
【００４６】
これとともに、孤立Ｂセル判定部３５は、判定条件１とは逆の条件である、画素ｎのセルＢが非点灯状態かつセルＧが点灯状態、かつ画素ｎ＋１のセルＧが非点灯状態かつセルＲが非点灯状態、かつ画素ｎ−１のセルＲが点灯状態であることを判定している。孤立Ｂセル判定部３５は、このような判定条件１とは逆の条件を判定するため、フリップフロップ３０７からの出力データをインバータ３１５により論理反転させたデータを利用して画素ｎのセルＢが非点灯状態であることを検出し、フリップフロップ３０５からの出力データを利用して画素ｎのセルＧが点灯状態であることを検出し、フリップフロップ３０４からの出力データをインバータ３１４により論理反転させたデータを利用して画素ｎ＋１のセルＧが非点灯状態であることを検出し、フリップフロップ３０１からの出力データをインバータ３１２により論理反転させたデータを利用して画素ｎ＋１のセルＲが非点灯状態であることを検出し、フリップフロップ３０３からの出力データを利用して画素ｎ−１のセルＲが点灯状態であることを検出している。さらに、孤立Ｂセル判定部３５は、これら出力データを、論理積演算を行うＡＮＤ回路３５０に供給することにより、画素ｎのセルＢが非点灯状態かつセルＧが点灯状態、かつ画素ｎ＋１のセルＧが非点灯状態かつセルＲが非点灯状態、かつ画素ｎ−１のセルＲが点灯状態であることを判定している。
【００４７】
さらに、孤立Ｂセル判定部３５は、ＡＮＤ回路３３０、およびＡＮＤ回路３５０の出力に応じて、点灯状態に対応したデータ、および非点灯状態に対応したデータを出力するデータ設定部３５１を備えている。データ設定部３５１は、ＡＮＤ回路３３０から論理値１、すなわち判定条件１を満たすとする信号を受け取ると、非点灯状態に対応したデータを設定データＢｄとして出力し、また、ＡＮＤ回路３５０から論理値１、すなわち判定条件１の逆条件を満たすとする信号を受け取ると、点灯状態に対応したデータを設定データＢｄとして出力する。この設定データＢｄは、セレクタ１３７に供給される。
【００４８】
また、孤立Ｂセル判定部３５において、ＡＮＤ回路３３０、およびＡＮＤ回路３５０の出力は、論理和演算を行うＯＲ回路３５２に供給され、ＯＲ回路３５２から判定結果Ｂｓが出力され、この判定結果Ｂｓは、セレクタ１３７に供給される。
【００４９】
孤立Ｂセル判定部３５は、以上のような構成により、判定条件１、あるいは判定条件１とは逆の条件を満たすような反転ＲＧＢ信号のデータ構成を検出したことを示す判定結果Ｂｓをセレクタ１３７に供給するとともに、判定条件１、あるいは判定条件１とは逆の条件に応じた設定データＢｄをセレクタ１３７に供給する。
【００５０】
図７に示すように、セレクタ１３７は、孤立Ｂセル判定部３５から通知された判定結果Ｂｓに応じて、遅延器１３４からのＢ信号Ｂａ、あるいは設定データＢｄのいずれかを選択し、出力する。すなわち、判定条件１、あるいは判定条件１とは逆の条件を満たすような反転ＲＧＢ信号のデータ構成が検出されない場合には、セレクタ１３７は、Ｂ信号Ｂａを出力する。一方、判定条件１を満たすような反転ＲＧＢ信号のデータ構成が検出された場合には、セレクタ１３７は、Ｂ信号Ｂａに代えて、非点灯状態に対応したデータを出力し、判定条件１とは逆の条件を満たすような反転ＲＧＢ信号のデータ構成が検出された場合には、セレクタ１３７は、Ｂ信号Ｂａに代えて、点灯状態に対応したデータを出力する。
【００５１】
また、図７において、孤立Ｒセル判定部３６は、孤立Ｂセル判定部３５と同様の動作をＲ信号Ｒａに対して行う。すなわち、孤立Ｒセル判定部３６は、図３で示した判定条件２の判定を行うとともに、図３で示した判定条件２とは逆の条件の判定を行う。すなわち、図９の構成例に示すように、孤立Ｒセル判定部３６は、図６での構成と同様にＡＮＤ回路３４０により、判定条件２である、画素ｎ＋１のセルＲが点灯状態かつセルＧが点灯状態、かつ画素ｎのセルＧが非点灯状態かつセルＢが点灯状態、かつ画素ｎ＋２のセルＢが非点灯状態であることを判定している。
【００５２】
これとともに、孤立Ｒセル判定部３６は、判定条件２とは逆の条件である、画素ｎ＋１のセルＲが非点灯状態かつセルＧが点灯状態、かつ画素ｎのセルＧが非点灯状態かつセルＢが非点灯状態、かつ画素ｎ＋２のセルＢが点灯状態であることを判定している。孤立Ｒセル判定部３６は、このような判定条件２とは逆の条件を判定するため、フリップフロップ３０１からの出力データをインバータ３１２により論理反転させたデータを利用して画素ｎ＋１のセルＲが非点灯状態であることを検出し、フリップフロップ３０４からの出力データを利用して画素ｎ＋１のセルＧが点灯状態であることを検出し、フリップフロップ３０５からの出力データをインバータ３１３により論理反転させたデータを利用して画素ｎのセルＧが非点灯状態であることを検出し、フリップフロップ３０７からの出力データをインバータ３１５により論理反転させたデータを利用して画素ｎのセルＢが非点灯状態であることを検出し、フリップフロップ３０６の入力データを利用して画素ｎ＋２のセルＢが点灯状態であることを検出している。さらに、孤立Ｒセル判定部３６は、これら出力データを、論理積演算を行うＡＮＤ回路３６０に供給することにより、画素ｎ＋１のセルＲが非点灯状態かつセルＧが点灯状態、かつ画素ｎのセルＧが非点灯状態かつセルＢが非点灯状態、かつ画素ｎ＋２のセルＢが点灯状態であることを判定している。
【００５３】
さらに、孤立Ｒセル判定部３６は、ＡＮＤ回路３４０、およびＡＮＤ回路３６０の出力に応じて、点灯状態に対応したデータ、および非点灯状態に対応したデータを出力するデータ設定部３６１を備えている。データ設定部３６１は、ＡＮＤ回路３４０から論理値１、すなわち判定条件２を満たすとする信号を受け取ると、非点灯状態に対応したデータを設定データＲｄとして出力し、また、ＡＮＤ回路３６０から論理値１、すなわち判定条件２の逆条件を満たすとする信号を受け取ると、点灯状態に対応したデータを設定データＲｄとして出力する。この設定データＲｄは、セレクタ１３８に供給される。
【００５４】
また、孤立Ｒセル判定部３６において、ＡＮＤ回路３４０、およびＡＮＤ回路３６０の出力は、論理和演算を行うＯＲ回路３６２に供給され、ＯＲ回路３６２から判定結果Ｒｓが出力され、この判定結果Ｒｓは、セレクタ１３８に供給される。
【００５５】
孤立Ｒセル判定部３６は、以上のような構成により、判定条件２、あるいは判定条件２とは逆の条件を満たすような反転ＲＧＢ信号のデータ構成を検出したことを示す判定結果Ｒｓをセレクタ１３８に供給するとともに、判定条件２、あるいは判定条件２とは逆の条件に応じた設定データＲｄをセレクタ１３８に供給する。
【００５６】
図７に示すように、セレクタ１３８は、孤立Ｒセル判定部３６から通知された判定結果Ｒｓに応じて、遅延器１３６からのＲ信号Ｒａ、あるいは設定データＲｄのいずれかを選択し、出力する。すなわち、判定条件２、あるいは判定条件２とは逆の条件を満たすような反転ＲＧＢ信号のデータ構成が検出されない場合には、セレクタ１３８は、Ｒ信号Ｒａを出力する。一方、判定条件２を満たすような反転ＲＧＢ信号のデータ構成が検出された場合には、セレクタ１３８は、Ｒ信号Ｒａに代えて、非点灯状態に対応したデータを出力し、判定条件２とは逆の条件を満たすような反転ＲＧＢ信号のデータ構成が検出された場合には、セレクタ１３８は、Ｒ信号Ｒａに代えて、点灯状態に対応したデータを出力する。
【００５７】
以上、図７に示したようなセル処理部１０３の構成により、左右反転表示を行う際に、図１３、図１４での斜線をつけたセルが点灯状態であるような場合に加えて、斜線を付けたセルが非点灯状態であるような場合の色ずれに対しても補正することができ、左右反転表示を行う際に色がずれたように観測されるような画質の劣化を抑制することができる。
【００５８】
また、例えば、図１０（ａ）のように通常の表示状態では画素ｎのセルＢと画素ｎ＋１のセルＲが隣接しているが、左右反転表示した場合は、図１０（ｂ）のように、画素ｎ＋１のセルＲ、画素ｎのセルＢがともに孤立して点灯状態となる。これらのセルをともに、上述したセル処理部１０３の処理により、非点灯状態にすると元の画像と大きく異なる画像になってしまうことがある。したがって、この場合のように通常の表示状態で隣接した２つのセルが左右反転状態でともに孤立してしまう場合は、例外処理として、これらを非点灯にせず、点灯状態のまま維持するようにすると、画質劣化を抑制する効果をより高めることができる。
【００５９】
図１１は、図１０で示したような場合において、ともに孤立してしまう２つにセルを非点灯にせず、点灯状態のまま維持するようにしたセル処理部１０３の構成例を示すブロック図である。図１１において、図７と同一の機能を有する構成要素については同一の符号を付している。また、図１１に示すように、セル処理部１０３は、図７の構成に比較して、通常の表示状態で隣接した２つのセルが左右反転状態でともに孤立してしまうようなデータ構成を判定する両端孤立判定部３９、および孤立Ｂセル判定部３５からの判定結果Ｂｓのセレクタ１３７への通知を制御するＡＮＤ回路３９８と孤立Ｒセル判定部３６からの判定結果Ｒｓのセレクタ１３８への通知を制御するＡＮＤ回路３９９とをさらに備えている。また、図１２は、両端孤立判定部３９の詳細な構成例を示すブロック図である。
【００６０】
図１１に示すように、両端孤立判定部３９には、比較器１３１からのセルデータＲｃ、比較器１３２からのセルデータＧｃ、および比較器１３３からのセルデータＢｃが供給される。両端孤立判定部３９は、これらセルデータを利用して、図１０（ｂ）のように、画素ｎ＋１のセルＲ、画素ｎのセルＢがともに孤立したデータ構成を検出している。すなわち、図１２に示すように、セルデータＲｃは、縦続接続されたフリップフロップ３０１、３０２へと順次供給され、セルデータＧｃは、縦続接続されたフリップフロップ３０４、３０５へと順次供給され、セルデータＢｃは、縦続接続されたフリップフロップ３０６、３０７へと順次供給される。両端孤立判定部３９は、まず、フリップフロップ３０１からの出力データ、フリップフロップ３０４からの出力データをインバータ３９３により論理反転させたデータ、およびフリップフロップ３０６からの出力データをインバータ３９４により論理反転させたデータを利用し、これらのデータをＡＮＤ回路３９０に供給することにより、画素ｎ＋１においてセルＲのみが点灯状態であること検出している。また、両端孤立判定部３９は、フリップフロップ３０７からの出力データ、フリップフロップ３０５からの出力データをインバータ３９６により論理反転させたデータ、およびフリップフロップ３０２からの出力データをインバータ３９５により論理反転させたデータを利用し、これらのデータをＡＮＤ回路３９１に供給することにより、画素ｎにおいてセルＢのみが点灯状態であること検出している。さらに、両端孤立判定部３９は、ＡＮＤ回路３９０からの出力データ、およびＡＮＤ回路３９１からの出力データをＡＮＤ回路３９２に供給することにより、図１０（ｂ）に示すような、画素ｎ＋１においてセルＲのみが点灯状態であり、かつ画素ｎにおいてセルＢのみが点灯状態である反転ＲＧＢ信号のデータ構成を検出している。ＡＮＤ回路３９２の出力データは、インバータ３９７により論理反転され、ディスエーブル信号Ｄｉｓとして出力される。
【００６１】
両端孤立判定部３９からのディスエーブル信号Ｄｉｓは、図１１に示すように、ＡＮＤ回路３９８、およびＡＮＤ回路３９９に供給される。ＡＮＤ回路３９８は、ディスエーブル信号Ｄｉｓが論理値１のとき、孤立Ｂセル判定部３５からの判定結果Ｂｓを有効とし、ディスエーブル信号Ｄｉｓが論理値０のとき、孤立Ｂセル判定部３５からの判定結果Ｂｓを無効とするように動作する。また、ＡＮＤ回路３９９は、ディスエーブル信号Ｄｉｓが論理値１のとき、孤立Ｒセル判定部３６からの判定結果Ｒｓを有効とし、ディスエーブル信号Ｄｉｓが論理値０のとき、孤立Ｒセル判定部３６からの判定結果Ｒｓを無効とするように動作する。
【００６２】
すなわち、両端孤立判定部３９が、図１０（ｂ）に示すような、画素ｎ＋１においてセルＲのみが点灯状態であり、かつ画素ｎにおいてセルＢのみが点灯状態である反転ＲＧＢ信号のデータ構成を検出すると、孤立Ｂセル判定部３５からの判定結果Ｂｓ、および孤立Ｒセル判定部３６からの判定結果Ｒｓは無効となり、セレクタ１３７は遅延器１３４からのＢ信号を選択し、セレクタ１３８は遅延器１３６からのＲ信号を選択する。
【００６３】
図１１に示したセル処理部１０３は、以上のような動作を行うため、通常の表示状態で隣接した２つのセルが左右反転状態でともに孤立してしまう場合、これらを非点灯にせず、点灯状態のまま維持することができ、画質劣化を抑制する効果をより高めることができる。
【００６４】
以上説明したように、本発明の画像表示方法によれば、左右反転表示を行う際に色がずれたように観測されることがなくなるので画質の劣化を抑制することができる。
【００６５】
また、以上、画素内のセルは位置が左から順にＲ、Ｇ、Ｂであるとして説明したが、本発明はこれに限定されるものではなく、セルの配置にかかわらず、通常表示時には孤立して点灯していないが、左右反転表示時には孤立して点灯するようなセルを非点灯状態とすることにより、左右反転表示時に色がずれたように観測されることを防止できる。
【産業上の利用可能性】
【００６６】
本発明に係る画像表示方法、および画像表示装置は、マトリクスディスプレイにおいて左右反転表示を行っても色がずれたように観測されることがないので、大画面かつ薄型のプラズマディスプレパネルや液晶ディスプレイに有用である。
【図面の簡単な説明】
【００６７】
【図１】本発明の実施の形態における画像表示方法を用いた画像表示装置の構成を示すブロック図
【図２】ラインメモリを制御するタイミングを示す図
【図３】色ずれを防止するための判定条件を説明するための図
【図４】セル処理部の詳細な構成例を示すブロック図
【図５】孤立Ｂセル判定部の詳細な構成例を示すブロック図
【図６】孤立Ｒセル判定部の詳細な構成例を示すブロック図
【図７】セル処理部の他の詳細な構成例を示すブロック図
【図８】孤立Ｂセル判定部の他の詳細な構成例を示すブロック図
【図９】孤立Ｒセル判定部の他の詳細な構成例を示すブロック図
【図１０】例外処理を行う場合の条件を説明するために示した図
【図１１】例外処理を含むセル処理部の詳細な構成例を示すブロック図
【図１２】両端孤立判定部の詳細な構成例を示すブロック図
【図１３】左右反転時に発生する色ずれを説明するための一例を示す図
【図１４】左右反転時に発生する色ずれを説明するための他の例を示す図
【符号の説明】
【００６８】
３３，３５    孤立Ｂセル判定部
３４，３６    孤立Ｒセル判定部
３９    両端孤立判定部
１００    ＲＧＢ入力端子
１０１    反転処理部
１０３    セル処理部
１０４    表示部
１１１    ラインメモリ
１１２    アドレス制御部
１３１，１３２，１３３    比較器
１３４，１３５，１３６    遅延器
１３７，１３８    セレクタ
３０１，３０２，３０３，３０４，３０５，３０６，３０７    フリップフロップ
３１１，３１２，３１３，３１４，３１５，３１６，３９３，３９４，３９５，３９６，３９７    インバータ
３３０，３４０，３５０，３６０，３９０，３９１，３９２，３９８，３９９    ＡＮＤ回路
３５１，３６１    データ設定部
３５２，３６２    ＯＲ回路
【図１】
2006322974.tif 000003
【図２】
2006322974.tif 000004
【図３】
2006322974.tif 000005
【図４】
2006322974.tif 000006
【図５】
2006322974.tif 000007
【図６】
2006322974.tif 000008
【図７】
2006322974.tif 000009
【図８】
2006322974.tif 000010
【図９】
2006322974.tif 000011
【図１０】
2006322974.tif 000012
【図１１】
2006322974.tif 000013
【図１２】
2006322974.tif 000014
【図１３】
2006322974.tif 000015
【図１４】
2006322974.tif 000016